(57)【特許請求の範囲】
【請求項１】
被写体を撮像する撮像手段と、この撮像手段により得られた撮影画像を記録する記録手段と、この記録手段に記録された撮影画像を表示する表示手段とを備えた撮像装置であって、
文書を含む１つのドキュメントをページ毎に画像化して得られた複数の画像情報と、該複数の画像情報を作成する元になった１つのドキュメントと該１つのドキュメントから作成された複数の画像情報との関連性を示す画像関連性情報を外部から取得する取得手段と、
前記取得手段により取得した画像関連性情報を前記記録手段に追加して記録する記録制御手段と、
前記記録手段内に記録されている複数の画像関連性情報の１つを選択する選択手段と、
前記選択手段により選択された画像関連性情報で示される複数の画像情報を、利用者の指示操作に応じて順次切り換えながら前記表示手段に表示する表示制御手段と、
前記選択手段により選択された画像関連性情報で示される前記複数の画像情報を作成する元になった１つのドキュメントに関する情報を前記表示手段に表示するドキュメント情報表示手段と、
を備えることを特徴とする撮像装置。
【請求項２】
前記画像関連性情報は、前記１つのドキュメントに関するＵＲＬ情報、タイトル情報、著作者情報のうち少なくとも１つを含むことを特徴とする請求項１に記載の撮像装置。
【請求項３】
前記画像関連性情報は、前記１つのドキュメントから作成された複数の画像情報のページを示すページ属性情報を含み、
前記ドキュメント情報表示手段は、前記ページ属性情報を重畳して表示することを特徴とする請求項１または２に記載の撮像装置。
【請求項４】
前記取得手段および前記情報記録手段は、前記画像関連性情報に含まれる各項目をタグで分類したＸＭＬファイルとして取得および記録することを特徴とする請求項１〜３の何れか一項に記載の撮像装置。
【請求項５】
前記取得手段は、前記１つのドキュメントから作成された複数の画像情報とのリンク情報を１つのページ内に配置した目次画像を共に取得し、
前記表示制御手段は、前記目次画像を表示し、この目次画像に対する利用者の指示操作に応じて、指示された位置のリンク情報に対応する画像情報を表示させることを特徴とする請求項１〜４の何れか一項に記載の撮像装置。
【請求項６】
前記選択手段は、前記複数の画像情報及び前記画像関連性情報を有するアルバム情報の一覧を表示して利用者に選択させることを特徴とする請求項１〜５の何れか一項に記載の撮像装置。
【請求項７】
前記取得手段は、前記画像関連性情報と対応付けられたサムネイル画像を取得し、
前記選択手段は、当該サムネイル画像の一覧を表示することにより前記アルバム情報の一覧を表示し、当該サムネイル画像の一覧の中から所望のサムネイル画像を選択することにより所望のアルバム情報を選択するものであることを特徴とする請求項６に記載の撮像装置。
【請求項８】
前記画像情報は、静止画像情報、音情報を有する音付静止画像情報及び動画情報のうちの少なくとも何れか一であることを特徴とする請求項１〜６の何れか一項に記載の撮像装置。
【請求項９】
被写体を撮像する撮像手段と、この撮像手段により得られた撮影画像を記録する記録手段と、この記録手段に記録された撮影画像を表示する表示手段とを備えた撮像装置のコンピュータを、
文書を含む１つのドキュメントをページ毎に画像化して得られた複数の画像情報と、該複数の画像情報を作成する元になった１つのドキュメントと該１つのドキュメントから作成された複数の画像情報との関連性を示す画像関連性情報を外部から取得する取得手段と、
前記取得手段により取得した画像関連性情報を前記記録手段に追加して記録する記録制御手段と、
前記記録手段内に記録されている複数の画像関連性情報の１つを選択する選択手段と、
前記選択手段により選択された画像関連性情報で示される複数の画像情報を、利用者の指示操作に応じて順次切り換えながら前記表示手段に表示する表示制御手段と、
前記選択手段により選択された画像関連性情報で示される前記複数の画像情報を作成する元になった１つのドキュメントに関する情報を前記表示手段に表示するドキュメント情報表示手段と、
して機能させることを特徴とするプログラム。
【発明の詳細な説明】
【技術分野】
【０００１】
本発明は、画像を表示する撮像装置と、それに係るプログラムに関する。
【背景技術】
【０００２】
従来、被写体の静止画や動画を撮像して、メモリカードや内蔵メモリ等の記録部に保存するデジタルカメラ等の撮像装置が知られている。
ところで、近年では、パーソナルコンピュータ（ＰＣ）に記憶されているスライドショー等のドキュメント情報をJPEG化して撮像装置に転送し、当該撮像装置を用いて閲覧する表示システムが開発されている。
また、上記のようなドキュメント情報をJPEG化せずにそのまま携帯電話やＰＤＡ等の表示画面を有する携帯端末を用いて閲覧する技術も提案されている（例えば、特許文献１参照）。
【特許文献１】特開２００６−７８６６４号公報
【発明の開示】
【発明が解決しようとする課題】
【０００３】
しかしながら、上記特許文献１等の場合、ドキュメント情報の仕様がとても細かいことに起因して設計の困難度が高いため、ドキュメント情報をそのまま表示することが難しく、ＰＣで作成した場合と同じようにドキュメント情報を表示することが困難であった。
また、撮像装置に転送してJPEG化した情報を閲覧する表示システムの場合、当該情報を単なる画像情報として保存しているため、複数ページからなるドキュメント情報の場合、記録部にて所望の画像情報を探し出す必要があり、ユーザは効率よく閲覧することができなかった。
【０００４】
そこで、本発明の課題は、複数の画像情報を整理して記録することができ、これにより、複数の画像情報を効率よく閲覧することができる撮像装置及びプログラムを提供することである。
【課題を解決するための手段】
【０００５】
請求項１に記載の発明の撮像装置は、被写体を撮像する撮像手段と、この撮像手段により得られた撮影画像を記録する記録手段と、この記録手段に記録された撮影画像を表示する表示手段とを備えた撮像装置であって、文書を含む１つのドキュメントをページ毎に画像化して得られた複数の画像情報と、該複数の画像情報を作成する元になった１つのドキュメントと該１つのドキュメントから作成された複数の画像情報との関連性を示す画像関連性情報を外部から取得する取得手段と、前記取得手段により取得した画像関連性情報を前記記録手段に追加して記録する記録制御手段と、前記記録手段内に記録されている複数の画像関連性情報の１つを選択する選択手段と、前記選択手段により選択された画像関連性情報で示される複数の画像情報を、利用者の指示操作に応じて順次切り換えながら前記表示手段に表示する表示制御手段と、前記選択手段により選択された画像関連性情報で示される前記１つのドキュメントに関する情報を前記表示手段に表示するドキュメント情報表示手段と、を備えることを特徴とする。
【０００６】
請求項２に記載の発明は、請求項１に記載の撮像装置において、前記画像関連性情報は、前記１つのドキュメントに関するＵＲＬ情報、タイトル情報、著作者情報のうち少なくとも１つを含むことを特徴とする。
【０００７】
請求項３に記載の発明は、請求項１又は２に記載の撮像装置において、前記画像関連性情報は、前記１つのドキュメントから作成された複数の画像情報のページを示すページ属性情報を含み、前記ドキュメント情報表示手段は、前記ページ属性情報を重畳して表示することを特徴とする。
【０００８】
請求項４に記載の発明は、請求項１〜３の何れか一項に記載の撮像装置において、前記取得手段および前記情報記録手段は、前記画像関連性情報に含まれる各項目をタグで分類したＸＭＬファイルとして取得および記録することを特徴とする。
【０００９】
請求項５に記載の発明は、請求項１〜４の何れか一項に記載の撮像装置において、前記取得手段は、前記１つのドキュメントから作成された複数の画像情報とのリンク情報を１つのページ内に配置した目次画像を共に取得し、前記表示制御手段は、前記目次画像を表示し、この目次画像に対する利用者の指示操作に応じて、指示された位置のリンク情報に対応する画像情報を表示させることを特徴とする。
【００１０】
請求項６に記載の発明は、請求項１〜５の何れか一項に記載の撮像装置において、前記選択手段は、前記複数の画像情報及び前記画像関連性情報を有するアルバム情報の一覧を表示して利用者に選択させることを特徴とする。
【００１１】
請求項７に記載の発明は、請求項６に記載の撮像装置において、前記取得手段は、前記画像関連性情報と対応付けられたサムネイル画像を取得し、前記選択手段は、当該サムネイル画像の一覧を表示することにより前記アルバム情報の一覧を表示し、当該サムネイル画像の一覧の中から所望のサムネイル画像を選択することにより所望のアルバム情報を選択するものであることを特徴とする。
【００１２】
請求項８に記載の発明は、請求項１〜６の何れか一項に記載の撮像装置において、前記画像情報は、静止画像情報、音情報を有する音付静止画像情報及び動画情報のうちの少なくとも何れか一であることを特徴とする。
【００１３】
請求項９に記載のプログラムは、被写体を撮像する撮像手段と、この撮像手段により得られた撮影画像を記録する記録手段と、この記録手段に記録された撮影画像を表示する表示手段とを備えた撮像装置のコンピュータを、文書を含む１つのドキュメントをページ毎に画像化して得られた複数の画像情報と、該複数の画像情報を作成する元になった１つのドキュメントと該１つのドキュメントから作成された複数の画像情報との関連性を示す画像関連性情報を外部から取得する取得手段と、前記取得手段により取得した画像関連性情報を前記記録手段に追加して記録する記録制御手段と、前記記録手段内に記録されている複数の画像関連性情報の１つを選択する選択手段と、前記選択手段により選択された画像関連性情報で示される複数の画像情報を、利用者の指示操作に応じて順次切り換えながら前記表示手段に表示する表示制御手段と、前記選択手段により選択された画像関連性情報で示される前記１つのドキュメントに関する情報を前記表示手段に表示するドキュメント情報表示手段と、して機能させることを特徴とする。
【発明の効果】
【００１９】
本発明によれば、被写体を撮像する撮像手段と、この撮像手段により得られた撮影画像を記録する記録手段と、この記録手段に記録された撮影画像を表示する表示手段とを備えた撮像装置において、文書を含む１つのドキュメントをページ毎に画像化して得られた複数の画像情報と、該複数の画像情報を作成する元になった１つのドキュメントと該１つのドキュメントから作成された複数の画像情報との関連性を示す画像関連性情報を外部から取得して前記記録手段に追加記録し、この記録されている複数の画像関連性情報の１つを選択すると、その選択された画像関連性情報で示される複数の画像情報を、利用者の指示操作に応じて順次切り換えながら前記表示手段に表示し、かつ、この選択された画像関連性情報で示される前記１つのドキュメントに関する情報を前記表示手段に表示するようにしたので、通常は撮影画像を取得、記録、表示する撮像装置であっても、パーソナルコンピュータなどの外部装置で作成された文書を含む１つのドキュメントを、ページ毎に画像化して表示するとともに、元となる１つのドキュメントに関する情報をも表示することができる。
【発明を実施するための最良の形態】
【００２０】
以下に、本発明について、図面を用いて具体的な態様を説明する。ただし、発明の範囲は、図示例に限定されない。
本実施形態の表示システム１００は、表示制御装置１によりドキュメント情報１４ａから複数の画像ファイルＧとこれら画像ファイルＧの関連性を示す画像関連性情報を含むプレイリストＰをアルバム情報Ａとして生成して、当該アルバム情報Ａの画像ファイルＧを画像関連性情報に基づいて切換えてデジタルカメラ２に表示するものである。
【００２１】
図１は、本発明を適用した一実施形態の表示システム１００の概略構成を模式的に示す図である。
図１に示すように、表示システム１００は、例えば、画像情報に基づいて画像を表示するデジタルカメラ（表示装置）２と、このデジタルカメラ２と通信ケーブル（図示略）を介して接続された表示制御装置１とを備えている。
【００２２】
先ず、表示制御装置１に図２〜図５を参照して説明する。
図２は、表示制御装置１の要部構成を示すブロック図である。
表示制御装置１は、例えば、パーソナルコンピュータ等が適用され、具体的には、図２等に示すように、ＣＰＵ１１と、ＲＡＭ１２と、ＲＯＭ１３と、情報記憶部１４と、操作入力部１５と、表示部１６と、通信制御部１７等を備えている。
【００２３】
通信制御部１７は、例えば、所定の通信ケーブル等を介してデジタルカメラ２のＵＳＢ端子２４１に接続される接続手段を構成している。
そして、通信制御部１７は、例えば、デジタルカメラ２との間において情報通信を行うための制御を行うものであり、情報送信手段として、ＣＰＵ１１によるアルバム生成処理（後述）にて生成された複数の画像ファイルＧ及びプレイリストＰをアルバム情報Ａとしてデジタルカメラ２に送信するようになっている。
【００２４】
表示部１６は、例えば、ＬＣＤやＣＲＴ等により構成された表示画面を備え、情報記憶部１４に記録されたドキュメント情報１４ａ等を表示するようになっている。
【００２５】
操作入力部１５は、例えば、数値、文字等を入力するためのデータ入力キーや、データの選択、送り操作等を行うための上下左右移動キーや各種機能キー等によって構成されるキーボードを備え、ユーザにより押下されたキーの押下信号をＣＰＵ１１に出力するようになっている。
【００２６】
情報記憶部１４は、例えば、ハードディスク装置等から構成され、アルバム生成処理にてアルバム化されるドキュメント情報１４ａ等を記憶している。
ここで、ドキュメント情報１４ａは、例えば、文書や画像等の情報から構成された複数のページからなる情報である。
【００２７】
ＣＰＵ１１は、例えば、ＲＯＭ１３に記憶されている表示制御装置１としての機能に関る各種プログラムを読み出してＲＡＭ１２の作業領域に展開し、当該プログラムに従って各種処理を実行するものである。
【００２８】
ＲＡＭ１２は、例えば、書き換え可能なメモリであり、ＲＯＭ１３から読み出されたプログラムや入力データ、受信データ等の格納領域や作業領域等を構成している。
また、ＲＡＭ１２は、一時記憶手段として、判定処理にて通信制御部１７とデジタルカメラ２の通信制御部２４が接続されていないと判定された場合に、アルバム情報Ａを一時的に記憶する転送待機リスト（図示略）を具備している。
【００２９】
ＲＯＭ１３は、例えば、読み出し専用のメモリであり、ＣＰＵ１１の制御下にて実行される各種のプログラム並びに各プログラムの処理に係るデータ及びテーブル等を記憶している。具体的には、ＲＯＭ１３は、仮想プリンタドライバ１３ａ、判定プログラム１３ｂ、送信制御プログラム１３ｃ等を記憶している。
【００３０】
仮想プリンタドライバ１３ａは、ＣＰＵ１１を情報生成手段として機能させるプログラムである。即ち、仮想プリンタドライバ１３ａは、情報記憶部１４からドキュメント情報１４ａを取得して、当該ドキュメント情報１４ａから複数の画像ファイルＧと複数の画像ファイルＧの関連性を示す画像関連性情報を含むプレイリストＰを生成するアルバム生成処理に係る機能をＣＰＵ１１に実現させるためのプログラムである。具体的には、ＣＰＵ１１による仮想プリンタドライバ１３ａの実行に基づいて、例えば、ＤＣＦ規格に準拠したファイル名を有する複数のJPEG画像ファイルＧとこれらと関連付けられたプレイリストＰをアルバム情報Ａとして生成するようになっている。
これにより、アルバム表示機能のないデジタルカメラ２であっても、ＤＣＦ規格に準拠したJPEG画像ファイルＧに係る画像を表示することができる。
【００３１】
以下に、アルバム情報Ａについて図３〜図５を参照して説明する。
図３は、アルバム情報Ａの構造を模式的に示す図であり、図４は、アルバム情報Ａの構造を示す図である。また、図５は、図３のアルバム情報Ａを構成する画像関連性情報を示す図である。
【００３２】
図３及び図４に示すように、アルバム情報Ａは、例えば、JPEG画像情報を有する複数の画像ファイルＧと、これら画像ファイルＧの関連性を示す画像関連性情報を含むプレイリストＰ等を備えて構成されている。具体的には、例えば、図４及び図５に示すように、５つの画像ファイルＧ（例えば、CIMG0001.jpg〜CIMG0005.jpg等）の全てと一のプレイリストＰ（例えば、ALBUM1.abm）が対応付けられている。また、プレイリストＰは、例えば、当該アルバム情報Ａのプレビュー用のサムネイル画像ファイル（例えば、thumb.jpg等）と対応付けられている。
【００３３】
プレイリストＰは、例えば、図５に示すように、XMLで記述され、当該アルバム情報Ａを構成するJPEG画像ファイルＧ等のコンテンツ情報（例えば、＜contents＞等）、ドキュメント（例えば、original.ppt等）の所在を示すＵＲＩ情報（例えば、＜uri＞等）、タイトル情報（例えば、＜title＞等）、著作者情報（例えば、＜author＞等）、作成日時情報（例えば、＜date＞等）、サムネイル情報（例えば、＜img view=“thumbnail”＞等）やページ属性情報（例えば、＜page＞等）等の画像関連性情報が記述されている。
【００３４】
判定プログラム１３ｂは、ＣＰＵ１１を判定手段として機能させるプログラムである。即ち、判定プログラム１３ｂは、通信制御部１７とデジタルカメラ２の通信制御部２４が通信ケーブルを介して情報通信可能に接続されているか否かを判定する判定処理に係る機能をＣＰＵ１１に実現させるためのプログラムである。
【００３５】
送信制御プログラム１３ｃは、複数の画像ファイルＧ及びプレイリストＰを通信制御部１７からデジタルカメラ２に送信させる処理に係る機能をＣＰＵ１１に実現させるためのプログラムである。
具体的には、判定処理にて通信制御部１７とデジタルカメラ２の通信制御部２４が接続されていると判定された場合に、ＣＰＵ１１は、送信制御プログラム１３ｃを実行して、アルバム生成処理にて生成された複数の画像ファイルＧ及びプレイリストＰをアルバム情報Ａとして通信制御部１７からデジタルカメラ２に送信させるようになっている。
また、判定処理にて通信制御部１７とデジタルカメラ２の通信制御部２４が接続されていないと判定された後、その後の判定処理にて、通信制御部１７とデジタルカメラ２の通信制御部２４が接続されていると判定された場合に、ＣＰＵ１１は、送信制御プログラム１３ｃを実行して、ＲＡＭ１２に記憶されているアルバム情報Ａを通信制御部１７からデジタルカメラ２に送信させるようになっている。
これにより、表示制御装置１とデジタルカメラ２が情報通信可能に接続された状態で、表示制御装置１からデジタルカメラ２にアルバム情報Ａを確実に転送することができる。
【００３６】
次に、デジタルカメラ２について図６を参照して説明する。
図６は、デジタルカメラ２の要部構成を示すブロック図である。
デジタルカメラ２は、例えば、図６に示すように、被写体を撮像する撮像部２１と、撮像部２１により撮像された画像を表示する表示部２２、当該デジタルカメラ１００の所定操作を行うための操作部２３と、表示制御装置１との間において情報通信を行うための制御を行う通信制御部２４と、撮像された画像を記録する記録媒体２５と、これら各部を制御する制御部２６等を備えて構成されている。
また、デジタルカメラ２は、例えば、図示しない外部接続端子を介して表示機器３やプロジェクター４（図１参照）等と接続されて、各種情報を出力することができるようになっている。
【００３７】
撮像部２１は、例えば、フォーカス機能及びズーム機能を有し、複数の撮像レンズからなる撮像レンズ群２１１と、この撮像レンズ群２１１を通過した被写体像を二次元の画像信号に変換するＣＣＤ（Charge Coupled Device）やＣＭＯＳ（Complementary Metal-oxide Semiconductor）等からなる電子撮像部２１２と、この電子撮像部２１２から出力される画像信号に対して所定の画像処理を施す映像信号処理部２１３と、画像処理後の画像信号を一時的に記憶する画像メモリ２１４と、ＣＰＵ２６１の制御下にて、電子撮像部２１２及び映像信号処理部２１３を制御するための撮影制御部２１５等を備えている。
【００３８】
操作部２３は、例えば、当該デジタルカメラ２の各部に設けられ、ユーザによる所定操作に基づいて撮像部２１による被写体の撮像を指示するシャッターボタンやカーソルキー等の各種操作スイッチ（図示略）等を備える操作入力部２３１と、この操作入力部２３１から入力された操作信号をＣＰＵ２６１に入力するための入力回路２３２等を備えている。
【００３９】
操作入力部２３１は、画像切換指示入力手段として、アルバム表示モードにて表示される画像の切換えを指示する画像切換指示を入力するようになっている。
また、操作入力部２３１は、例えば、アルバム表示モードにて、画像表示部２２２（後述）に表示されたアルバム情報Ａの一覧の中から所望のアルバム情報Ａを選択するアルバム情報選択手段を構成している。
【００４０】
通信制御部２４は、例えば、通信ケーブルを介して表示制御装置１と接続されるＵＳＢ端子２４１を備えている。そして、通信制御部２４は、情報受信手段として、表示制御装置１の通信制御部１７から送信され、複数の画像ファイルＧ及びプレイリストＰをアルバム情報Ａとして受信するようになっている。
【００４１】
記録媒体２５としては、例えば、カード型の不揮発性メモリ（フラッシュメモリ）やハードディスク等を適用することができる。
そして、記録媒体２５は、情報記録手段として、通信制御部２４により受信された複数の画像ファイルＧ及びプレイリストＰをアルバム情報Ａとして記録するようになっている。
【００４２】
表示部２２は、例えば、ＣＰＵ２６１から適宜出力される表示データを一時的に保存するビデオメモリ（ＶＲＡＭ）を備える表示制御部２２１と、この表示制御部２２１からの出力信号に基づいて所定の画像を表示する液晶モニタ等の画像表示部２２２等を備えている。
【００４３】
画像表示部２２２は、記録媒体２５に記録された複数の画像ファイルＧに係る画像を表示する画像表示手段を構成している。
即ち、画像表示部２２２は、アルバム情報表示手段として、例えば、アルバム表示処理にて、複数の画像ファイルＧ及びプレイリストＰからなるアルバム情報Ａの一覧を表示する。具体的には、画像表示部２２２は、プレイリストＰの画像関連情報のサムネイル情報及びタイトル情報に基づいて、サムネイル画像かタイトルで一覧表示するようになっている。
そして、画像表示部２２２は、当該アルバム情報Ａの一覧の中からユーザによる操作入力部２３１の所定操作に基づいて選択された所望のアルバム情報Ａを構成する画像ファイルＧを表示するようになっている。
【００４４】
制御部２６は、例えば、デジタルカメラ２の各部を統括的に制御するＣＰＵ２６１と、ＣＰＵ２６１の動作に必要な各種プログラムやデータを記憶するプログラムメモリ２６２と、画像データ記憶用の内蔵フラッシュメモリであるデータメモリ２６３等を備えている。
【００４５】
プログラムメモリ２６２は、例えば、画像記録制御プログラム２６２ａ、画像表示制御プログラム２６２ｂ、画像切換表示制御プログラム２６２ｃ等を記憶している。
【００４６】
画像記録制御プログラム２６２ａは、例えば、通信制御部２４により受信された複数の画像ファイルＧ及びプレイリストＰからなるアルバム情報Ａを記録媒体２５に記録させる処理に係る機能をＣＰＵ２６１に実現させるためのプログラムである。
【００４７】
画像表示制御プログラム２６２ｂは、例えば、アルバム表示モードにて、記録媒体２５に記録されているアルバム情報Ａを構成する複数の画像ファイルＧに係る画像を画像表示部２２２に表示させるアルバム表示処理に係る機能をＣＰＵ２６１に実現させるためのプログラムである。
【００４８】
画像切換表示制御プログラム２６２ｃは、ＣＰＵ２６１を画像切換表示制御手段として機能させるものである。即ち、画像切換表示制御プログラム２６２ｃは、ユーザによる操作入力部２３１の所定操作に基づいて画像切換指示が入力されると、記録媒体２５に記録されている複数の画像ファイルＧのうち、プレイリストＰの画像関連性情報により関連付けられた画像ファイルＧに係る画像を画像表示部２２２に表示させる画像切換表示処理に係る機能をＣＰＵ２６１に実現させるためのプログラムである。
【００４９】
次に、表示制御装置１によるアルバム転送処理について図7及び図８を参照して説明する。
ここで、図７は、アルバム転送処理に係る動作の一例を示すフローチャートである。また、図８は、アルバム生成処理に係る動作の一例を示すフローチャートである。
【００５０】
図７に示すように、ユーザによる操作入力部１５の所定操作に基づいて、情報記憶部１４に記憶されている何れか一のドキュメント情報１４ａが選択されると（ステップＳ１）、ＣＰＵ１１は、ＲＯＭ１３から仮想プリンタドライバ１３ａを読み出して実行して、アルバム情報Ａを生成するアルバム生成処理を実行する（ステップＳ２）。
【００５１】
以下に、アルバム生成処理について図８を参照して詳細に説明する。
図８に示すように、ＣＰＵ１１は、ドキュメント情報１４ａを再生する所定のアプリケーションプログラムの実行に基づいて、当該ドキュメント情報１４ａを構成する複数のページの各々についてページ属性情報を取得する（ステップＳ２１）。
【００５２】
次に、ＣＰＵ１１は、プレビュー用サムネイル画像を作成する。具体的には、ＣＰＵ１１は、ドキュメント情報１４ａを構成する複数のページからなる印刷イメージを取得して（ステップＳ２２）、１ページ目の印刷イメージを縮小化した後（ステップＳ２３）、JPEG画像ファイルＧを生成して出力する（ステップＳ２４）。
【００５３】
続けて、ＣＰＵ１１は、ページ毎の処理を実行する。具体的には、ＣＰＵ１１は、ページ属性情報に基づいて複数の印刷イメージの各々についてページ番号及びDCF規格に準拠したファイル名を決定して（ステップＳ２５）、複数のページの各々の印刷イメージを取得する（ステップＳ２６）。その後、ＣＰＵ１１は、JPEG画像ファイルＧを生成して、当該JPEG画像ファイルＧとページ属性情報等の画像関連性情報を含むプレイリストＰをアルバム情報Ａとして出力する（ステップＳ２７）。
【００５４】
上記のページ毎の処理は、ＣＰＵ１１により最終ページが処理されるまで繰り返し実行され、即ち、ステップＳ２８にて、ＣＰＵ１１により処理中のページが最終ページではないと判定されると（ステップＳ２８；ＮＯ）、ステップＳ２５に移行して、繰り返し実行され、最終ページであると判定されると（ステップＳ２８；ＹＥＳ）、アルバム生成処理を終了する。
【００５５】
次に、ＣＰＵ１１は、ＲＯＭ１３から判定プログラム１３ｂを読み出して、表示制御装置１の通信制御部１７とデジタルカメラ２の通信制御部２４が情報通信可能に接続されているか否かを判定する（ステップＳ３）。
ここで、情報通信可能に接続されていると判定されると（ステップＳ３；ＹＥＳ）、ＣＰＵ１１は、送信制御プログラム１３ｃを実行して、アルバム生成処理にて生成された複数の画像ファイルＧ及びプレイリストＰをコピーしてアルバム情報Ａとして通信制御部１７からデジタルカメラ２に送信させる（ステップＳ４）。
一方、情報通信可能に接続されていないと判定されると（ステップＳ３；ＮＯ）、ＣＰＵ１１は、ＲＡＭ１２の転送待機リストにアルバム情報Ａを一時的に記憶させる（仮保存）処理を実行する（ステップＳ５）。
【００５６】
次に、デジタルカメラ２によるアルバム表示処理について図９を参照して説明する。
ここで、図９は、アルバム表示処理に係る動作の一例を示すフローチャートである。
【００５７】
ユーザによる操作入力部２３１の所定操作に基づいてアルバム表示モードに設定されると、ＣＰＵ２６１は、記録媒体からアルバム情報ＡのプレイリストＰを検索して、発見したプレイリストＰを画像表示部２２２の表示設定条件に従って一覧表示する。
そして、ユーザによる操作入力部２３１の所定操作に基づいて、一覧表示されたプレイリストＰの中から何れか一のプレイリストＰが選択されると（ステップＳ１０１）、ＣＰＵ２６１は、画像表示制御プログラムの実行に基づいて、プレイリストＰと関連付けられた画像ファイルＧに係る画像を画像表示部２２２に表示させる（ステップＳ１０２）。ここで、ユーザによる操作入力部２３１の所定操作に基づいて画像切換指示が入力されると、ＣＰＵ２６１は、画像切換表示制御プログラムの実行に基づいて、記録媒体からプレイリストＰにより関連付けられた所定の画像ファイルＧを取得して、当該画像ファイルＧに係る画像を画像表示部２２２に表示させる（ステップＳ１０３）。
なお、画像の再生表示時に、ＣＰＵ２６１は、画像表示部２２２を制御して、プレイリストＰのページ属性情報やタイトル情報等を重畳して表示させるようにしても良い。また、画像切換指示が入力されることにより、次ページに画像を切換えるだけでなく、前ページや、目次や、ブックマークしたページに画像を切換えるようにしても良く、これにより、デジタルカメラ２の利便性をさらに向上させることができる。
【００５８】
また、ユーザによる操作入力部２３１の所定操作に基づいてアルバムの変更指示が入力されると（ステップＳ１０４；ＹＥＳ）、ＣＰＵ２６１は、ステップＳ１０１に移行して、それ以降の処理の実行を制御する。
一方、ステップＳ１０４にて、アルバムの変更指示が入力されない場合には（ステップＳ１０４；ＮＯ）、ＣＰＵ２６１は、ユーザによる操作入力部２３１の所定操作に基づいて表示モードの変更が指示されているか否かを判定して（ステップＳ１０５）、モード変更指示が入力されるまで、ステップＳ１０１にて選択されたアルバム情報Ａを構成する画像ファイルＧに係る画像を画像表示部２２２に表示させる処理を実行する。
【００５９】
以上のように、本実施形態の表示システム１００によれば、表示制御装置１により再生されるドキュメント情報１４ａから複数のJPEG画像ファイルＧ及びプレイリストＰからなるアルバム情報Ａを生成することができるので、複数の画像ファイルＧをプレイリストＰの画像関連性情報により関連付けて整理してデジタルカメラ２の記録媒体２５に記録することができる。
これにより、複数の画像ファイルＧに係る画像がバラバラに表示されることがなくなって、アルバム単位で画像表示することができる。従って、他の画像ファイルＧと混ざることなく、当該複数の画像ファイルＧからなる所望のアルバムのみを効率よく閲覧することができる。
【００６０】
また、アルバム情報Ａは、複数のJPEG画像ファイルＧとプレイリストＰから構成されているので、デジタルカメラ２を個々のPCのアプリケーションに対応させる必要がなくなって、当該デジタルカメラ２の設計上の制約を削減することができる。
【００６１】
また、アルバム生成処理にてドキュメント情報１４ａのページ属性情報を取得してプレイリストＰに記録することにより、デジタルカメラ２によるアルバム表示処理にて所望のアルバム選択を容易に行うことができる。特に、サムネイル画像を用いてアルバム情報Ａの一覧を表示することができるので、所望のアルバム情報Ａの選択をより容易に行うことができる。
【００６２】
なお、本発明は、上記実施形態に限定されることなく、本発明の趣旨を逸脱しない範囲において、種々の改良並びに設計の変更を行っても良い。
以下に、表示システム１００の変形例について説明する。
【００６３】
＜変形例１＞
変形例１の表示システムは、動画像情報を含むドキュメント情報１４ａからアルバム情報Ａを生成して、デジタルカメラ２にて表示するようになっている。
即ち、表示制御装置１は、アルバム生成処理にて、ドキュメント情報１４ａを構成する複数のページのうち、動画と判断されたページをデジタルカメラ２にて再生可能なＭＰＥＧ４等の所定のファイル形式にエンコードして出力するようになっている。
これにより、例えば、図１０に示すように、５つの画像ファイルＧのうち、３つが静止画像ファイルＧ（例えば、CIMG0001.jpg、CIMG0001.jpg、CIMG0005.jpg等）から構成され、２つが動画像ファイルＧ（例えば、CIMG0002.MOV、CIMG0004.MOV等）から構成されたアルバム情報Ａが生成される。
【００６４】
以下に、図１１を参照してアルバム生成処理について説明する。
図８に示すように、ＣＰＵ１１は、所定のアプリケーションプログラムの実行に基づいてドキュメント情報１４ａを構成する複数のページの各々についてページ属性情報を取得する（ステップＳ２０１）、
【００６５】
続けて、ＣＰＵ１１は、アプリケーションプログラムの実行に基づいてドキュメント情報１４ａを再生して（ステップＳ２０２）、当該再生結果に基づいてドキュメント情報１４ａを構成する複数のページの各々が動画像であるのか静止画像であるのか判定する（ステップＳ２０３）。
なお、再生とは、実際にユーザに見える形で表示部１６に表示する場合に限られず、ＣＰＵ１１の内部処理にて再生状態にすることであっても良い。
【００６６】
ステップＳ２０３にて、ページが静止画像であると判定されると（ステップＳ２０３；静止画）、ＣＰＵ１１は、静止画像であるページ毎に、ページ属性情報に基づいてページ番号及びDCF規格に準拠したファイル名を決定した後、JPEG画像ファイルＧを生成して、当該JPEG画像ファイルＧとページ属性情報等の画像関連性情報を含むプレイリストＰを出力する（ステップＳ２０４）。
そして、ＣＰＵ１１は、出力された静止画像に係るアルバム情報ＡをＲＡＭ１２に記録させる（ステップＳ２０５）。
【００６７】
一方、ステップＳ２０３にて、ページが動画像であると判定されると（ステップＳ２０３；動画）、ＣＰＵ１１は、動画像であるページ毎に、ページ属性情報に基づいてページ番号及びファイル名を決定した後、所定のファイル形式（例えば、MPEG4等）にエンコードして当該動画像ファイルＧとページ属性情報等の画像関連性情報を含むプレイリストＰを出力する（ステップＳ２０６）。
そして、ＣＰＵ１１は、出力された動画像に係るアルバム情報ＡをＲＡＭ１２に記録させる（ステップＳ２０７）。
【００６８】
上記の処理は、ＣＰＵ１１によりドキュメント情報１４ａが最後まで再生されるまで繰り返し実行され、即ち、ステップＳ２０８にて、ＣＰＵ１１によりドキュメント情報１４ａが最後まで再生されていないと判定されると（ステップＳ２０８；ＮＯ）、ステップＳ２０２に移行して、繰り返し実行され、最後まで再生されたと判定されると（ステップＳ２０８；ＹＥＳ）、アルバム生成処理を終了する。
【００６９】
以上のように、動きを含んだドキュメント情報１４ａであってもデジタルカメラ２に適正に表示することができる。
【００７０】
なお、画像ファイルＧとしては、上記実施形態における静止画像情報であるJPEG画像や変形例１における動画像情報であるＭＰＥＧに限られるものではなく、例えば、音情報を有する音付静止画像情報であっても良いし、または単なる音声情報であっても良い。
【００７１】
＜変形例２＞
変形例２の表示システムは、ドキュメント情報１４ａを構成するページ内に所定ページと関連付けられたリンク情報に基づいて、画像の切換えを行うことができるようになっている。
即ち、例えば、図１２及び図１３に示すように、１ページ目が目次となっているようなページを画像ファイルＧに変換する場合には、当該ページからリンク情報を抽出して、プレイリストＰのusemap属性により各画像ファイルＧとリンクするマップエリア情報を指定して、そのうちのmap要素によりリンク先とエリアが規定される（例えば、＜map name=“maplink”＞等）。
【００７２】
これにより、例えば、図１２に示すように、画像表示部２２２に１ページ目の画像ファイルＧが表示された状態で、２〜５ページ目の画像ファイルＧと関連付けられた四角い枠のエリアＲ２〜Ｒ５をクリックすることで、リンク先のページに画像を切換えることができる。従って、目次情報などのリンク情報がある場合に、アルバム情報Ａに変換してもリンク情報を保持することができ、ドキュメント情報１４ａを再生する元のアプリケーションに近い動作を再現することができる。
【００７３】
なお、変形例２にあっては、アルバム情報Ａ内のリンクを例示して説明したが、アルバム情報Ａ外やインターネット上のURLにリンクさせるような構成であっても良い。
【００７４】
＜変形例３＞
変形例３の表示システムに係るアルバム情報Ａを構成する画像ファイルＧは、画像情報と当該画像情報に個別に対応付けられた画像関連性情報から構成されている。
即ち、表示システムを構成する表示制御装置１は、例えば、図１４に示すように、ｅｘｉｆ形式の画像情報を生成して、当該画像情報に付加情報として画像関連性情報を記録するようになっている。
【００７５】
アルバム情報Ａが上記のような構成であっても、複数の画像ファイルＧを画像関連性情報により関連付けて整理してデジタルカメラ２に記録することができ、複数の画像ファイルＧに係る画像がバラバラに表示されることがなくなって、アルバム単位で画像表示することができる。
【００７６】
また、画像表示部２２２を画像関連性情報表示手段として、プレイリストＰに含まれる画像関連性情報を表示するようにしても良い。
これにより、デジタルカメラ２によるアルバム再生の時に画像ファイルＧどうしの対応関係を視認することができる。
【００７７】
また、上記実施形態では、表示装置としてデジタルカメラ２を例示したが、これに限られるものではなく、例えば、ハードディスクストレージやＰＤＡ等の画像情報を保存可能なものであり、且つ、表示画面を有するものであれば如何なる構成のものであっても良い。
【００７８】
さらに、上記実施形態では、デジタルカメラ２と表示制御装置１とが通信ケーブルを介して有線接続された表示システム１００を例示したが、これに限られるものではなく、例えば、無線ＬＡＮ等の所定の無線通信回線により無線接続された構成であっても良い。
【００７９】
また、例えば、複数の音声ファイルを関連性情報に基づいて関連付けてコンピュータ等により管理するようにしても良い。即ち、録音機能を備えるデジタルカメラ２により録音された複数の音声ファイルをコンピュータに転送して、アルバム生成処理にてこれら複数の音声ファイルを関連付ける関連性情報を生成して管理するようにしても良い。
【図面の簡単な説明】
【００８０】
【図１】本発明を適用した一実施形態の表示システムの概略構成を模式的に示す図である。
【図２】図１の表示システムを構成する表示制御装置の要部構成を示すブロック図である。
【図３】図２の表示制御装置により生成されるアルバム情報の構造を模式的に示す図である。
【図４】図３のアルバム情報の構造を示す図である。
【図５】図３のアルバム情報を構成する関連性情報を示す図である。
【図６】図１の表示システムを構成するデジタルカメラの要部構成を示すブロック図である。
【図７】図２の表示制御装置によるアルバム転送処理に係る動作の一例を示すフローチャートである。
【図８】図２の表示制御装置によるアルバム生成処理に係る動作の一例を示すフローチャートである。
【図９】図６のデジタルカメラによるアルバム表示処理に係る動作の一例を示すフローチャートである。
【図１０】変形例１の表示システムを構成する表示制御装置によるアルバム生成処理により生成されるアルバム情報の構造を示す図である。
【図１１】図１０の表示制御装置によるアルバム生成処理に係る動作の一例を示すフローチャートである。
【図１２】変形例２の表示システムを構成する表示制御装置により生成されたアルバム情報の構造を示す図である。
【図１３】図１２のアルバム情報を構成する関連性情報を示す図である。
【図１４】変形例３の表示システムを構成する表示制御装置により生成されるアルバム情報の構造を模式的に示す図である。
【符号の説明】
【００８１】
１００  表示システム
１      表示制御装置（外部機器）
１１    ＣＰＵ（情報生成手段、判定手段）
１２    ＲＡＭ（一時記憶手段）
１７    通信制御部（情報送信手段）
２      デジタルカメラ（表示装置、撮像装置）
２６１  ＣＰＵ（画像切換表示制御手段）
２４    通信制御部（情報受信手段）
２５    記録媒体（情報記録手段）
２２２  画像表示部（画像表示手段、アルバム情報表示手段、画像関連性情報表示手段）
２３１  操作入力部（画像切換指示入力手段、アルバム情報選択手段）
【図１】
0004609398.tif 000002
【図２】
0004609398.tif 000003
【図３】
0004609398.tif 000004
【図４】
0004609398.tif 000005
【図５】
0004609398.tif 000006
【図６】
0004609398.tif 000007
【図７】
0004609398.tif 000008
【図８】
0004609398.tif 000009
【図９】
0004609398.tif 000010
【図１０】
0004609398.tif 000011
【図１１】
0004609398.tif 000012
【図１２】
0004609398.tif 000013
【図１３】
0004609398.tif 000014
【図１４】
0004609398.tif 000015